(57)【要約】【課題】  無農薬による野菜、葉菜、果物、花等の作物が重宝されている。また人々の健康、疾病の回復、我国の農業等を考慮した大局的な見地・地球環境等を念頭においた場合、無農薬栽培は不可欠である。よって、ハウス栽培においても、防虫ネットを利用した栽培方法が主流に成りつつあるが、外気の吸込量を確保すること、ハウス内の最適な箇所への送風を図りつつ、作物への直接送風を回避し、過乾燥と葉面呼吸の確保を図ることは困難視される。【構成】  ハウスの壁面に設けた整流シャッターは、シャッタープレートと、連動手段と、連動手段を可動する駆動部とを備えており、吸込み式のシャッタープレートは風圧又は駆動装置で開閉される構成で、シャッター枠体に防虫ネットを係止し、防虫ネットは、目合いを略０．２mm〜０．６mm程度とするとともに、シャッター枠体に密着状態で取付け可能としたハウスの防虫ネット付き整流シャッターである。【選択図】  図６
2006020577.tif 000002
【特許請求の範囲】
【請求項１】
ハウスの壁面に設けた整流シャッターは、シャッタープレートと、このシャッタープレートを動かす連動手段と、この連動手段を可動する駆動部とを備えており、このシャッタープレートは風圧又は駆動装置で開閉される構成であり、
この整流シャッターのシャッター枠体に防虫ネットを係止し、この防虫ネットは、目合いを略０．２mm〜０．６mm程度とするとともに、このシャッター枠体に密着状態で取付け可能としたハウスの防虫ネット付き整流シャッター。
【請求項２】
請求項１に記載のシャッタープレートは、前記ハウスの壁面（妻面）に設けたシャッター枠体に開閉自在に設けられた構成であって、このシャッタープレートの開放時に、このシャッタープレートの開放端が、ハウス側に可動する構成としたハウスの防虫ネット付き整流シャッター。
【請求項３】
請求項１に記載のシャッタープレートは、開放側が曲面状に上方に向かって湾曲した上昇気流を誘発する湾曲先端部を備えており、この湾曲先端部が当該シャッタープレートの開放時に、シャッター枠体に突出する構成としたハウスの防虫ネット付き整流シャッター。
【発明の詳細な説明】
【技術分野】
【０００１】
本発明は、ハウスの防虫ネット付き整流シャッターに関する。
【背景技術】
【０００２】
近時、無農薬による野菜、葉菜、果物、花等の作物が重宝されている。また人々の健康、疾病の回復、或は我国の農業等を考慮した大局的な見地及び／又は地球環境等を念頭においた場合には、この種の無農薬栽培（減農薬を含む）は不可欠である。このような見地から、ハウス栽培においても、防虫ネットを利用した栽培方法が主流に成りつつある。しかし、従来の防虫ネットは、シャッターより侵入する害虫を捕捉し、ハウス内に入れず農薬の使用量を微量にする減農薬栽培か、又は全くの無農薬栽培（減農薬栽培、無農薬栽培とする）を意図するに留まる。従って、一面的な改良に留まっている。
【０００３】
またこの減農薬栽培か、又は無農薬栽培を意図する場合は、虫の侵入を防止するために、防虫ネットの目合いを略０．５mm〜１．０mm程度にする必要があるが、この目合いでは外気の吸込量の不足が指摘されている。そして、この吸込量の不足をカバーするために、防虫ネットの形態及び／又は張装方法に種々の工夫をする方策が採用されている。これらの工夫で、実験結果では吸込量の不足をカバーすることに対しては、良好な成果が確認できている。しかし、ハウスへの簡易な設置と、メンテナンスを考慮した場合には、改良すべき二三の問題点を指摘することができる。
【０００４】
以下、その一例を説明すると、（１）  外気の吸込量の確保が図れない場合には、適正な温湿度管理ができず、例えば、７月〜８月において、外気に比し、略２℃〜５℃程度の温度上昇（温度上昇は高温時に問題となる）及び／又は略２％〜３％の相対湿度の上昇が考えられる。（２）  吸込量が不足し、適正な温湿度管理ができないので、作物の生育不良、糖分の不足、果肉の不良、又は徒長の問題が発生する。（３）  ハウス内空気の澱みの発生による作物の生育不良、糖分の不足等が考えられる。（４）  ネットの張装面積が増えることは、ハウスの畝及び／又は作物を覆うような状態となり、光合成が図れないこと、及び収穫量の減少になること、またハウスの内壁近傍を移動する人・機材の移動に邪魔になり易いこと等が考えられる。
【０００５】
次に先行文献（１）〜（４）について説明する。文献（１）、文献（２）は換気扇・シャッターに対する防虫システムであり、換気扇等と防虫ネットとの組合せの発明、考案である。文献（１）は実開昭６２−１２２２３９号の「同時吸・排気形換気扇」であり、吸込側のギャラリの下側に吸込口をガードする防虫網（防虫ネット）の考案である。また文献（２）は特開平７−２０８０４２号の「虫よけ網付き窓用シャッター」であり、巻き上げ式のシャッターの扉面に虫よけ用の網を取付けた発明である。この文献（１）、文献（２）は、単なる換気扇等の防虫ネットとの構成であり、目合いの問題に対する工夫と、吸込量の工夫に関する文献ではない。文献（３）、文献（４）はハウスの防虫に対する防虫ネットであり、ネットの素材に関する発明がある。文献（３）は特開平７−１５５０７２号の「施設園芸用ネット及びそれを展張したハウス」であり、紫外線領域の光線を遮蔽し、可視光線領域の光線を透過するプラスチックスから構成される発明である。また文献（４）は特開平６−１６９６５０号の「通気性の良好な園芸用プラスチックハウス」であり、プラスチックハウス全面に対し、透明合成繊維で編成した網目状シートに、低い融点を有しかつ高周波融着性を有する透明合成樹脂を付着させて通気孔を網目状に形成してなる被覆材を展張する発明である。この文献（３）、文献（４）は、単に防虫ネットの素材特性を利用してハウスの防虫を図るものであり、ハウスの吸込量の確保、吸込み外気の整流に対する工夫に関する文献とは考えられない。
【０００６】
【特許文献１】実開昭６２−１２２２３９号
【特許文献２】特開平７−２０８０４２号
【特許文献３】特開平７−１５５０７２号
【特許文献４】特開平６−１６９６５０号
【発明の開示】
【発明が解決しようとする課題】
【０００７】
前記文献（１）・（２）は、目合いの問題と、外気の吸込量の確保、又は温湿度管理の適正化等に関して改良が図れておらず、結局の処、この文献（１）・（２）は、本発明が意図するハウスに必要となる外気の吸込量を確保すること、この吸込んだ外気をハウス内の最適な箇所への送風を図りつつ、作物への直接送風を回避し、過乾燥と葉面呼吸の確保を図ることは困難視される。また文献（３）・（４）は、防虫ネットと、この防虫ネットを付設できるシャッターに関して改良が図れておらず、結局の処、この文献（３）・（４）は、本発明が意図するハウスに必要とする外気の吸込量の確保等を意図するハウスの防虫ネット付き整流シャッターを提供することは困難視される。
【０００８】
上記に鑑み本発明は、ネットの目合いを略０．２mm〜０．６mm程度にし、この寸法の目合いで小さい虫の侵入防止を図り（現状では、略１００％の食害が防止できると考えられる）、また外気の吸込量の確保、又は温湿度管理の適正化を図り、現実に即したハウスの防虫ネット付き整流シャッターを提供する。またこの目合いで、かつ外気の吸込量の確保、又は温湿度管理の適正化を図ることで、作物の生育を図りつつ、収穫量の拡充が図れるハウスの防虫ネット付き整流シャッターを提供する。殊に本発明は、防虫ネットの張装で、ハウス及び／又はシャッターの防雨、防寒、防風等が図れ、またフードの省略と、構造の簡略化、低コスト化等が図れるハウスの防虫ネット付き整流シャッターを提供する。
【課題を解決するための手段】
【０００９】
請求項１の発明は、ネットの目合いを略０．２mm〜０．６mm程度にし、この寸法の目合いで小さい虫の侵入防止を図り、また外気の吸込量の確保、又は温湿度管理の適正化を図り、現実に即したハウスの防虫ネット付き整流シャッターの提供を意図する。またこの目合いで、かつ外気の吸込量の確保、又は温湿度管理の適正化（過乾燥と葉面呼吸の確保）を図ることで、作物の生育を図りつつ、収穫量の拡充が図れるハウスの防虫ネット付き整流シャッターの提供を意図する。殊に本発明は、前記防虫ネットの張装で、ハウス及び／又はシャッターの防雨、防寒、防風等が図れ、またフードの省略と、構造の簡略化、低コスト化等が図れるハウスの防虫ネット付き整流シャッターの提供を意図する。さらに益虫栽培におけるこの益虫の逃避防止を図ることを意図する。
【００１０】
請求項１は、ハウスの壁面に設けた整流シャッターを、シャッタープレートと、このシャッタープレートを動かす連動手段と、この連動手段を可動する駆動部とを備えており、この吸込み式・整流方式のシャッタープレートは風圧又は駆動装置で開閉される構成であり、
この整流シャッターのシャッター枠体に防虫ネットを係止し、この防虫ネットは、目合いを略０．２mm〜０．６mm程度とするとともに、このシャッター枠体に密着状態で取付け可能としたハウスの防虫ネット付き整流シャッターである。
【００１１】
請求項２の発明は、請求項１の目的を達成すること、この目的を達成するのに最適なシャッタープレートの提供を意図する。
【００１２】
請求項２は、請求項１に記載のシャッタープレートを、前記ハウスの壁面（妻面）に設けたシャッター枠体に開閉自在に設けられた構成であって、このシャッタープレートの開放時に、このシャッタープレートの開放端が、ハウス側に可動する構成としたハウスの防虫ネット付き整流シャッターである。
【００１３】
請求項３の発明は、請求項１の目的を達成すること、この目的を達成し、吸込んだ外気の整流を図るのに最適なシャッタープレートの提供を意図する。
【００１４】
請求項３は、請求項１に記載のシャッタープレートを、開放側が曲面状に上方に向かって湾曲した上昇気流を誘発する湾曲先端部を備えており、この湾曲先端部が当該シャッタープレートの開放時に、シャッター枠体に突出する構成としたハウスの防虫ネット付き整流シャッターである。
【発明の効果】
【００１５】
請求項１の発明は、ハウスの壁面に設けた整流シャッターは、シャッタープレートと、シャッタープレートを動かす連動手段と、連動手段を可動する駆動部とを備えており、シャッタープレートは風圧又は駆動装置で開閉される構成であり、
整流シャッターのシャッター枠体に防虫ネットを係止し、防虫ネットは、目合いを略０．２mm〜０．６mm程度とするとともに、シャッター枠体に密着状態で取付け可能としたハウスの防虫ネット付き整流シャッターである。
【００１６】
従って、請求項１は、ネットの目合いを略０．２mm〜０．６mm程度にし、この寸法の目合いで小さい虫の侵入防止を図り、また外気の吸込量の確保、又は温湿度管理の適正化を図り、現実に即したハウスの防虫ネット付き整流シャッターを提供できる特徴がある。またこの目合いで、かつ外気の吸込量の確保、又は温湿度管理の適正化を図ることで、作物の生育を図りつつ、収穫量の拡充が図れるハウスの防虫ネット付き整流シャッターを提供できる利点がある。殊に本発明は、前記防虫ネットの張装で、ハウス及び／又はシャッターの防雨、防寒、防風等が図れ、またフードの省略と、構造の簡略化、低コスト化等が図れるハウスの防虫ネット付き整流シャッターを提供できる特徴がある。さらに益虫栽培におけるこの益虫の逃避防止及び／又は活発な行動が図れる実益がある。
【００１７】
請求項２の発明は、請求項１に記載のシャッタープレートが、ハウスの壁面に設けた整流シャッター枠体に開閉自在に設けられた構成であって、シャッタープレートの開放時に、シャッタープレートの開放端が、ハウス側に可動する構成としたハウスの防虫ネット付き整流シャッターである。
【００１８】
従って、請求項２は、請求項１の目的を達成できること、この目的を達成するのに最適なシャッタープレートを提供できること等の特徴がある。
【００１９】
請求項３の発明は、請求項１に記載のシャッタープレートが、開放側が曲面状に上方に向かって湾曲した上昇気流を誘発する湾曲先端部を備えており、湾曲先端部が当該シャッタープレートの開放時に、シャッター枠体に突出する構成としたハウスの防虫ネット付き整流シャッターである。
【００２０】
従って、請求項３は、請求項１の目的を達成できること、この目的を達成し、吸込んだ外気の整流を図るのに最適なシャッタープレートを提供できること等の特徴がある。
【発明を実施するための最良の形態】
【００２１】
本発明の防虫ネット付き整流シャッターは、主としてハウスの一方側（吸込側）の壁面に設けた防虫ネット付き整流シャッターに関する。図１は本発明のハウスの一方側及び／又は他方側に防虫ネット付き整流シャッターを付設した（設けた）ハウスの全体を示す縮尺模式図で、図２は図１の側面模式図、図３はハウスの柱体に整流シャッターを付設した模式図、図４は整流シャッターの一部欠截の正面図、図５は整流シャッターの側面図、図６は整流シャッターの一部欠截の背面図、図７は整流シャッターのシャッタープレートと支持バー・連動板との関係を説明した拡大側面模式図、図８は整流シャッターのシャッタープレートと支持バー・連動板との関係を説明した拡大裏面模式図、図９−１は防虫ネットの取付手段の一例を示した拡大断面図、図９−２は防虫ネットの取付手段の一例を示した拡大正面図である。
【００２２】
１はビニールハウス、ガラスハウス等のハウスで、このハウス１の長手方向１ａの一方側１００（一例であり限定されず天井面１ｂ、側面等の一方側を含む。以下同じ）には整流シャッター２が付設されている。この整流シャッター２は、図３〜図８に示すようにシャッター枠体２００と、このシャッター枠体２００に可動自在に設けた複数枚のシャッタープレート２０１（シャッタープレート２０１とする）と、このシャッタープレート２０１を支持する支持バー２０２と、この支持バー２０２と前記シャッタープレート２０１とを連結する当該支持バー２０２に枢着され、またシャッタープレート２０１の上面に固止され、後述する連動板２０４に枢支した連結体２０３と、前記シャッタープレート２０１間を枢支連結し、このシャッタープレート２０１を略同時に開閉する連動板２０４と、この連動板２０４と駆動部２０５を連結し、この連動板２０４を上下動するリンク機構２０６とで構成されている。従って、駆動部２０５の駆動を介してリンク機構２０６が上下動すると、この上下動に対応して連動板２０４が上下動する。そして、この連動板２０４の上下動により、その基端側２０３ａを当該連動板２０４に枢着し、またその中間部２０３ｂをシャッター枠体２００に固止した支持バー２０２の枢支部２０２ａに枢着した連結体２０３を可動（略９０°揺動）する。この連結体２０３の自由端側２０３ｃが可動し、当該シャッタープレート２０１が開閉する。即ち、連結体２０３は、当該連結体２０３の基端側２０３ａの上下動で、その中間部２０３ｂを支点として可動することで、この連結体２０３をシャッタープレート２０１の開放方向（Ｙ方向）又は閉塞方向（Ｘ方向）に可動する（図７の矢印参照）。そして、このシャッタープレート２０１の開放状態を図５、図７に示し、またシャッタープレート２０１の閉塞状態を図４に示す。尚、駆動部２０５を設ける位置は、図示の例に限定されず、下側等の如く、使用の態様と、整流シャッター２の形態・寸法等によって変更可能である。尚、連動手段の一例を、前記支持バー２０２、連結体２０３、連動板２０４、リンク機構２０６の組合せ構造として説明したが、いずれにしても連動板２０４が駆動部２０５で可動する構造であれば採用できる。また支持バー２０２には、シャッタープレート２０１の動きを許容する切欠き部２０２ｂが形成されている。尚、図示しないが、このハウス１の長手方向１ａの他方側に設けた排気口にはシャッター及び／又は防虫ネットが付設されている。
【００２３】
本発明では、シャッタープレート２０１の湾曲先端部２０１ａは、図３、図５の如く、開放状態で、ハウス１内方向に突出する構成が理想であり、防虫ネット３を介して吸込んだ外気（暖冷気）を栽培作物に直接当てることなく、ハウス１内の天井面１ｂに向かって（上昇気流として誘発するように）吹き上げ得る構成であり、栽培作物の保護と、ハウス１内の温度上昇を抑止できる特徴がある。また冷暖気をハウス１内の天井面１ｂに送りミキシングし、ハウス１の温湿度管理をすることで、快適な栽培条件を確保できる。
【００２４】
防虫ネット３はシャッター枠体２００の外方側２００−１の表面に設けた取付手段４で、このシャッター枠体２００の表面に面一に張装される。この張装で防雨、防寒、防風、略隠蔽効果と、シャッタープレート２０１の濡れ、腐蝕防止が期待できる。また前述の如く、シャッタープレート２０１の湾曲先端部２０１ａが、ハウス１内方向に突出する構成であるので、防虫ネット３とシャッタープレート２０１の基端側２０１ｂとの間に、スペース５が形成されることから、吸込量の確保と、雨水のハウス１内への浸入防止に役立つ。尚、シャッター枠体２００の下側をハウス１外方向に傾斜を設けることで、雨水の流れが確保できる。又図５の如く、シャッタープレート２０１は、支持バー２０２の枢支部２０２ａを支点（水平位置の基点）として、その基端側２０１ｂを下側に、また湾曲先端部２０１ａ上側にそれぞれ位置する構成であり、吹込んだ雨水及び／又は吸込んだ雨水のハウス１内への浸入防止に役立つ。この防虫ネット３は、目合いが略０．２mm〜０．６mm程度とし、虫の侵入を略１００％防止できる。尚、この防虫ネット３は、シャッター枠体２００の外方側２００−１の表面に設けた取付手段４に張装される。この取付手段４は、シャッター枠体２００の外方側２００−１の表面に繞設した断面略偏平Ｕ形の取付枠体４００と、この取付枠体４００に嵌合されるスプリング押え線材４０１とで構成し、この押え線材４０１の取付枠体４００への圧入で取付けるか、又はその離脱で取外しできる構成である。従って、取付け（取外し）の容易化が図れる。またこの取付手段４で、防虫ネット３とハウス１のビニール６とをともに取付け得ることで、ハウス１の気密性の確保、ビニール６及び／又は防虫ネット３の取付け等の容易化、又は部品点数の減少、コストの低廉化、作業の迅速化等が図れる。尚、この防虫ネット３は益虫の逃避防止に役立つことは当然である。
【００２５】
図中７はハウス１の柱体を示す。８はハウス１の枠体を示す。
【００２６】
尚、防虫ネット３を、防寒シートに変更可能とし、冬季等における寒さ対策と、防温、防音、防犯効果等を達成することも可能である。
【００２７】
また整流シャッター２及び／又は防虫ネット３は、図示しない作物の種類及び／又は栽培・気候等の条件等により、ハウス１の壁面１ｃの所定高さに取付けられる。この取付け位置と、防虫ネット３等との形状及び／又は寸法等は相関関係を有する。
【図面の簡単な説明】
【００２８】
【図１】本発明のハウスの一方側及び／又は他方側に防虫ネット付き整流シャッターを付設したハウスの全体を示す縮尺模式図
【図２】図１の側面模式図
【図３】ハウスの柱体に整流シャッターを付設した模式図
【図４】整流シャッターの一部欠截の正面図
【図５】整流シャッターの側面図
【図６】整流シャッターの一部欠截の背面図
【図７】整流シャッターのシャッタープレートと支持バー・連動板との関係を説明した拡大側面模式図
【図８】整流シャッターのシャッタープレートと支持バー・連動板との関係を説明した拡大裏面模式図
【図９−１】防虫ネットの取付手段の一例を示した拡大断面図
【図９−２】防虫ネットの取付手段の一例を示した拡大正面図である。
【符号の説明】
【００２９】
１              ハウス
１ａ            長手方向
１ｂ            天井面
１ｃ            壁面
１００          一方側
２              整流シャッター
２００          シャッター枠体
２００−１      外方側
２０１          シャッタープレート
２０１ａ        湾曲先端部
２０１ｂ        基端側
２０２          支持バー
２０２ａ        枢支部
２０２ｂ        切欠き部
２０３          連結体
２０３ａ        基端側
２０３ｂ        中間部
２０３ｃ        自由端側
２０４          連動板
２０５          駆動部
２０６          リンク機構
３              防虫ネット
４              取付手段
４００          取付枠体
４０１          押え線材
５              スペース
６              ビニール
７              柱体
８              枠体
【図１】
2006020577.tif 000003
【図２】
2006020577.tif 000004
【図３】
2006020577.tif 000005
【図４】
2006020577.tif 000006
【図５】
2006020577.tif 000007
【図６】
2006020577.tif 000008
【図７】
2006020577.tif 000009
【図８】
2006020577.tif 000010
【図９−１】
2006020577.tif 000011
【図９−２】
2006020577.tif 000012